(57)【要約】【課題】  （イ）携帯に便利であり、（ロ）衛生的であり、（ハ）繰り返して使用することができ、かつ（ニ）リサイクル可能な組立式爪楊枝を提供する。【解決手段】  少なくとも一端に開口部を有し、かつ該開口部近傍に設けられた被係合部を有する円筒状基体部と、少なくとも一端が尖鋭とされた鋭頭部と他端が非尖鋭とされた基部を有し、かつ該円筒状基体部よりも小径とされその周面の適宜位置に係合部を有する尖鋭棒状体と、からなるようにした。【選択図】  図１
0003110733.tif 000002
【実用新案登録請求の範囲】
【請求項１】
少なくとも一端に開口部を有し、かつ該開口部近傍に設けられた被係合部を有する円筒状基体部と、
少なくとも一端が尖鋭とされた鋭頭部と他端が非尖鋭とされた基部を有し、かつ該円筒状基体部よりも小径とされその周面の適宜位置に係合部を有する尖鋭棒状体と、
からなり、
使用時には、前記鋭頭部が上方を向くように前記係合部が前記被係合部に係合せしめられて前記基部が前記円筒状基体部に収納され、
収納時には、前記基部が上方を向くように前記係合部が前記被係合部に係合せしめられて前記鋭頭部が前記円筒状基体部に収納されることにより、携帯可能とされたことを特徴とする組立式爪楊枝。
【考案の詳細な説明】
【技術分野】
【０００１】
本考案は、楊枝、特に携帯に便利な組立式爪楊枝に関する。
【背景技術】
【０００２】
従来、歯と歯の間につまった食べかす等を食後に取り除いたり、果物やお菓子といったちょっとした食べ物を刺してつまみ上げたりするのに、爪楊枝が広く行われている。
【０００３】
しかし、かかる爪楊枝は、一端が尖鋭とされているため、そのまま携帯するとその先端が何処かに刺さってしまうおそれがあるし、また、使用する面が汚れてしまったりして不衛生でもある。
【０００４】
また、爪楊枝は通常数十〜数百本束ねた形でケースに入れられて販売されているが、爪楊枝を一本携帯するのにかかるケースに入れて持ち運ぶのは不便である。
【０００５】
さらに、爪楊枝は一回使用したら捨ててしまうのが通常であるが、森林資源の無駄遣いを極力抑えるためにも、できれば、繰り返し使用できる爪楊枝が好ましい。
【考案の開示】
【考案が解決しようとする課題】
【０００６】
本考案は、上記した従来技術の問題点に鑑みなされたもので、（イ）携帯に便利であり、（ロ）衛生的であり、（ハ）繰り返して使用することができ、かつ（ニ）リサイクル可能な組立式爪楊枝を提供することを目的とする。
【課題を解決するための手段】
【０００７】
上記課題を解決するために、本考案の組立式爪楊枝は、少なくとも一端に開口部を有し、かつ該開口部近傍に設けられた被係合部を有する円筒状基体部と、
少なくとも一端が尖鋭とされた鋭頭部と他端が非尖鋭とされた基部を有し、かつ該円筒状基体部よりも小径とされその周面の適宜位置に係合部を有する尖鋭棒状体と、
からなり、
使用時には、前記鋭頭部が上方を向くように前記係合部が前記被係合部に係合せしめられて前記基部が前記円筒状基体部に収納され、
収納時には、前記基部が上方を向くように前記係合部が前記被係合部に係合せしめられて前記鋭頭部が前記円筒状基体部に収納されることにより、携帯可能とされたことを特徴とする。
【０００８】
このように構成することにより、前記円筒状基体部に前記尖鋭棒状体を着脱可能とすることができるので、使用時には、前記鋭頭部が上方を向くように前記係合部が前記被係合部に係合せしめられて前記基部が前記円筒状基体部に収納されることにより、該鋭頭部で歯と歯の間の食べかす等を取り除くことができ、収納時には、前記基部が上方を向くように前記係合部が前記被係合部に係合せしめられて前記鋭頭部が前記円筒状基体部に収納されることにより、安全に携帯することが可能となる。
【０００９】
また、食べかす等を取り除くのに使用する面が、携帯の際に汚れてしまうこともないため、非常に衛生的である。
【００１０】
さらに、プラスチック等の耐久性材料で構成することにより、繰り返し使用が可能となる。
【００１１】
加えて、ポリプロピレン（ＰＰ）、ポリエチレン（ＰＥ）、ＡＢＳ樹脂、ポリスチレン（ＰＳ）等のリサイクル可能な熱可塑性プラスチック材料で構成すれば、一旦廃棄された本考案の組立式爪楊枝をリサイクルして使用することが可能となるので、環境資源への一助となる有利さがある。
【考案の効果】
【００１２】
本考案の組立式爪楊枝によれば、（イ）携帯に便利であり、（ロ）衛生的であり、（ハ）繰り返して使用することができ、かつ（二）リサイクル可能という著大な効果を奏する。
【考案を実施するための最良の形態】
【００１３】
以下、本考案の組立式爪楊枝の１例を添付図面によって説明するが、本考案の技術思想から逸脱しない限りこれらの実施の形態について種々の変更又は変形が可能なことは言うまでもない。
【００１４】
図１は本考案の組立式爪楊枝の収納状態を示す斜視説明図であって、（ａ）は尖鋭棒状体の鋭頭部を円筒状基体部に収納するところを示す斜視図、（ｂ）は尖鋭棒状体の鋭頭部を円筒状基体部に収納した状態を示す斜視図、図２は本考案の組立式爪楊枝の使用状態を示す斜視説明図であって、（ａ）は尖鋭棒状体の基部を円筒状基体部に収納するところを示す斜視図、（ｂ）は尖鋭棒状体の基部を円筒状基体部に収納した状態を示す斜視図である。
【００１５】
図１において、本考案の組立式爪楊枝１０は、少なくとも一端に開口部１２を有し、かつ該開口部１２近傍に設けられた被係合部１４を有する円筒状基体部１６と、少なくとも一端が尖鋭とされた鋭頭部１８と他端が非尖鋭とされた基部２０を有し、かつ該円筒状基体部１６よりも小径とされその周面の適宜位置に係合部２２を有する尖鋭棒状体２４と、から構成されている。
【００１６】
組立式爪楊枝１０の収納状態を添付図面１に基づいて説明する。収納時には、（ａ）に示す如く、尖鋭棒状体２４の基部２０が上方を向くように係合部２２が円筒状基体部１６の被係合部１４に係合せしめられ、（ｂ）に示す如く、鋭頭部１８が円筒状基体部１６に収納される。このようにして、（ｂ）の状態で携帯することが可能となる。
【００１７】
このように収納して持ち運べば、鋭頭部１８が円筒状基体部１６に収納されているので、先端が何処かに刺さってしまうおそれもなく安全である。また、鋭頭部１８の周面が汚れてしまったりして不衛生となるおそれもない。
【００１８】
次に、組立式爪楊枝１０の使用状態を添付図面２に基づいて説明する。使用時には、（ａ）に示す如く、鋭頭部１８が上方を向くように係合部２２が円筒状基体部１６の被係合部１４に係合せしめられ、（ｂ）に示す如く、基部２０が円筒状基体部１６に収納される。このようにして、（ｂ）の状態で鋭頭部１８で歯と歯の間の食べかす等を取り除くことができる。
【００１９】
また、本考案の組立式爪楊枝１０は、耐久性材料であるプラスチックで構成されているので、繰り返し使用が可能である。
【００２０】
本考案の組立式爪楊枝１０に適用可能なプラスチック材料としては、ポリプロピレン（ＰＰ）、ポリエチレン（ＰＥ）、ＡＢＳ樹脂、ポリスチレン（ＰＳ）等の熱可塑性プラスチック材料が挙げられる。リサイクルが可能なプラスチック材料であれば、その他のプラスチック材料であっても適用が可能であることはいうまでもない。
【００２１】
なお、図示の例では、基部２０については平坦形状とした例を示したが、図示例以外にも種々の形状が適用可能であることはいうまでもない。また、図示の例では、円筒状基体部１６の一端のみを開口部１２とし、他端を閉口部とした例を示してある。円筒状基体部１６の一端を開口部とし他端を閉口部とした方が塵埃等が開口部分から入ることを防ぐことが出来るのでより好ましいが、円筒状基体部１６の両端を開口部とする構成を採用することもできる。
【図面の簡単な説明】
【００２２】
【図１】本考案の組立式爪楊枝の収納状態を示す斜視説明図であって、（ａ）は尖鋭棒状体の鋭頭部を円筒状基体部に収納するところを示す斜視図、（ｂ）は尖鋭棒状体の鋭頭部を円筒状基体部に収納した状態を示す斜視図である。
【図２】本考案の組立式爪楊枝の使用状態を示す斜視説明図であって、（ａ）は尖鋭棒状体の基部を円筒状基体部に収納するところを示す斜視図、（ｂ）は尖鋭棒状体の基部を円筒状基体部に収納した状態を示す斜視図である。
【符号の説明】
【００２３】
１０：組立式爪楊枝、１２：開口部、１４：被係合部、１６：円筒状基体部、１８：鋭頭部、２０：基部、２２：係合部、２４：尖鋭棒状体。
【図１】
0003110733.tif 000003
【図２】
0003110733.tif 000004